(57)【要約】【課題】  重りとして鉛を用いることなくダンパーレバーの慣性モーメント、ひいては鍵のタッチ重さをきめ細かく容易に調整することができるグランドピアノのダンパーを提供する。【解決手段】  押鍵時に鍵によって突き上げられ、弦Ｓから離れることによって演奏音の発音を許容するグランドピアノのダンパー１であって、前後方向に延び、後端部を中心として回動自在に設けられるとともに、前端部が鍵の後端部の上方に配置された複数のダンパーレバー３と、複数のダンパーレバー３の各々に連結され、その上方への回動に伴い、弦Ｓから離れるダンパーヘッド４と、複数のダンパーレバー３の各々から突出するように設けられた重り取付け部１６と、所定の比重を有する鉛以外の代替材料によって構成され、ダンパーレバー３の重さを調整するために重り取付け部１６に取り付けられた複数の重り１５と、を備えている。【選択図】  図１
2005106870.tif 000002
【特許請求の範囲】
【請求項１】
押鍵時に鍵によって突き上げられ、弦から離れることによって演奏音の発音を許容するグランドピアノのダンパーであって、
前後方向に延び、後端部を中心として回動自在に設けられるとともに、前端部が前記鍵の後端部の上方に配置された複数のダンパーレバーと、
当該複数のダンパーレバーの各々に連結され、前記ダンパーレバーの上方への回動に伴い、前記弦から離れるダンパーヘッドと、
前記複数のダンパーレバーの各々から突出するように設けられた重り取付け部と、
所定の比重を有する鉛以外の代替材料によって構成され、前記ダンパーレバーの重さを調整するために前記重り取付け部に取り付けられた複数の重りと、
を備えていることを特徴とするグランドピアノのダンパー。
【請求項２】
前記重り取付け部は、前記ダンパーレバーの前端部に設けられていることを特徴とする請求項１に記載のグランドピアノのダンパー。
【請求項３】
前記重り取付け部は、周面にねじ部を有し、ダンパーレバーに立設された棒状の取付け部材で構成され、
前記重りは、当該重りを貫通するねじ孔を有し、当該ねじ孔を介して前記取付け部材の前記ねじ部にねじ込まれていることを特徴とする請求項１または２に記載のグランドピアノのダンパー。
【請求項４】
前記重り取付け部は、棒状の取付け部材で構成され、
当該取付け部材は、
取付け部材本体と、
当該取付け部材本体の一端部に設けられたローレット加工部と、
前記取付け部材本体の他端部に設けられ、前記取付け部材本体の径よりも大きな幅を有する抜止め部と、  
を有し、前記ローレット加工部を圧入することによって前記ダンパーレバーに立設されており、
前記重りは、当該重りを貫通する取付け孔を有し、当該取付け孔が前記取付け部材本体に通されかつ前記抜止め部によって抜止めされた状態で、前記取付け部材に取り付けられていることを特徴とする請求項１または２に記載のグランドピアノのダンパー。
【発明の詳細な説明】
【技術分野】
【０００１】
本発明は、押鍵時に鍵によって突き上げられ、弦から離れることによって演奏音の発音を許容するグランドピアノのダンパーに関する。
【背景技術】
【０００２】
図４は、グランドピアノの従来の一般的なダンパーを示している。このダンパー５１は、ダンパーレバーレール２、複数のダンパーレバー３および複数のダンパーヘッド４（ともに１つのみ図示）を備えている。ダンパーレバーレール２は、複数の鍵（図示せず）の後ろ側に、その並び方向（左右方向）に延びるように配置されている。ダンパーレバー３は、鍵ごとに設けられ、後端部の支点を介して、ダンパーレバーレール２に設けられたダンパーレバーフレンジ５に回動自在に支持されるとともに、前端部は、対応する鍵の後端部に上方から対向している。また、ダンパーレバー３には、回動自在のダンパーワイヤフレンジ６と、それから上方に延びるダンパーワイヤ７とが順に設けられている。ダンパーヘッド４は、このダンパーワイヤ７の上端部に取り付けられ、水平に張られた弦Ｓに上方から当接している。
【０００３】
また、ダンパーレバー３には、左右方向に貫通する複数の埋設孔５２が形成されており、この埋設孔５２には、それぞれ重り５３が取り付けられている。この重り５３は、ダンパーレバー３の重さを調整することにより、適切なタッチ重さを得るためのものであり、一般に鉛で構成されている。また、この重り５３は、所定のサイズの円柱状に形成されるとともに埋設孔５２に挿入され、両側からかしめられることによってダンパーレバー３に固定されている。このように、重りとして鉛が採用されているのは、金属の中でも比重が高く安価であることや、柔軟性および延性に富み、上記のような成形や加工を行いやすいことなどによる。
【０００４】
以上の構成により、鍵が押鍵されると、その後端部でダンパーレバー３が突き上げられる。その際、ダンパーレバー３の静荷重すなわち支点回りの慣性モーメントの大きさに応じて、それによる反力が鍵を押鍵する指にタッチ重さとして作用する。ダンパーレバー３が突き上げられるのに伴い、これに連結されたダンパーヘッド４も上方に移動し、弦Ｓから離れる。その後、鍵の押鍵に連動して回動するハンマー（図示せず）が弦Ｓを打弦することにより、弦Ｓが振動し、演奏音が発音される。また、鍵が離鍵されると、ダンパーレバー３が下方に復帰回動するのに伴い、ダンパーヘッド４が下方に移動し、弦Ｓに当接することによって、弦Ｓの振動すなわち演奏音が停止する。
【０００５】
また、グランドピアノの従来のダンパーとして、例えば特許文献１に開示されたものが知られている。このダンパーは、上述した従来のダンパーと基本的に同じ構成で、ダンパーレバーには、上下方向に貫通する複数の埋設孔が前後方向に並ぶように形成されている。この埋設孔の下端部の径は、それよりも上側の部分よりも小さくなっており、鉄によって構成された重りが、ダンパーレバーの上方から埋設孔に挿入されることにより取り付けられ、接着剤によって固定されている。したがって、取り付ける際、一般的なダンパーのようにかしめ作業を行わなくてもよく、このため、それによる力がダンパーレバーに作用しないので、ダンパーレバーに割れなどの破損が生じにくい。したがって、より多くの埋設孔を形成し、より多くの重りを取り付けることができるので、調整可能なダンパーレバーの慣性モーメントの範囲、すなわち鍵のタッチ重さの範囲を、より広くすることができる。
【０００６】
前述したように、従来の一般的なダンパー５１では、重り５３の材料として鉛が用いられている。しかし、鉛は有害物質であるため、他の代替材料を使用することが望ましい。また、重り５３は、ダンパーレバー３に形成した埋設孔５２に両側からのかしめによって取り付けられており、そのようなかしめ作業をダンパーレバー３ごとに行わなければならないため、取付け作業が非常に煩雑である。
【０００７】
また、前述した特許文献１のダンパーにも共通する問題として、以下のようなものがある。すなわち、両者とも、ダンパーヘッドに形成した埋設孔に重りを取り付けることにより、ダンパーレバーの慣性モーメントの大きさを調整しており、ダンパーヘッドの強度を損なわないためには、埋設孔の大きさ、すなわち重りの大きさに限界がある。また、ダンパーヘッドに付与される実質的な重さは、重りと埋設孔の形成によって失われるダンパーヘッドの重さとの差であるので、重さ付与の効率が悪い。したがって、重りによって付与される重さ、すなわち調整可能な慣性モーメントの範囲に限界がある。また、一般的なダンパー５１ではかしめによって、特許文献１のダンパーでは接着剤によって重りをそれぞれ固定しているので、一旦、取り付けると、容易に取り外すことができない。そのため、重りの取付け後に鍵のタッチ重さを変更しようとしても、これを容易に行うことができない。
【０００８】
本発明は、以上のような課題を解決するためになされたものであり、重りとして鉛を用いることなくダンパーレバーの慣性モーメント、ひいては鍵のタッチ重さをきめ細かく容易に調整することができるグランドピアノのダンパーを提供することを目的としている。
【０００９】
【特許文献１】実開昭４８−１１２３２１号公報  （第５，６頁、第２図）
【発明の開示】
【課題を解決するための手段】
【００１０】
この目的を達成するために、本発明の請求項１に係る発明は、押鍵時に鍵によって突き上げられ、弦から離れることによって演奏音の発音を許容するグランドピアノのダンパーであって、前後方向に延び、後端部を中心として回動自在に設けられるとともに、前端部が前記鍵の後端部の上方に配置された複数のダンパーレバーと、複数のダンパーレバーの各々に連結され、ダンパーレバーの上方への回動に伴い、弦から離れるダンパーヘッドと、複数のダンパーレバーの各々から突出するように設けられた重り取付け部と、所定の比重を有する鉛以外の代替材料によって構成され、ダンパーレバーの重さを調整するために重り取付け部に取り付けられた複数の重りと、を備えていることを特徴とする。
【００１１】
このグランド型ピアノのダンパーによれば、そのダンパーレバーは、後端部において支点に回動自在に設けられるとともに、前端部が鍵の後端部の上方に配置されている。また、ダンパーレバーには、これから突出するように重り取付け部が設けられており、この重り取付け部には、複数の重りが取り付けられている。複数の重りは、例えば鉄や真鍮のようなある程度、大きな所定の比重を有する鉛以外の代替材料によって構成されている。鍵が押鍵されると、ダンパーレバーは、鍵の後端部によって突き上げられ、取り付けられた重りとともに後端部を中心として上方に回動する。その際、ダンパーレバーに連結されたダンパーヘッドもまた上方に移動することにより、ダンパーヘッドが弦から離れ、弦が振動可能な状態になる。
【００１２】
このような構成によれば、鉄などによって構成された所定の重量の重りを重り取付け部に取り付けるだけで、鉛の重りを用いることなくダンパーレバーの慣性モーメントを容易に調整することができ、それにより所望のタッチ重さを得ることができる。また、取り付ける重りの数により、ダンパーレバーに付加される重さを調整することができるので、支点回りの慣性モーメントをきめ細かく調整することができ、それによりタッチ重さをきめ細かく設定することができる。さらに、重さを付与するためにダンパーレバーに埋設孔を設ける必要がなく、取り付けた重りの重さが実質的にすべて付与されるので、ダンパーヘッドに重さを効率よく付与することができる。したがって、付与できる重さ、すなわち調整可能な慣性モーメントの範囲を広げることができる。
【００１３】
請求項２に係る発明は、請求項１に記載のグランドピアノのダンパーにおいて、重り取付け部は、ダンパーレバーの前端部に設けられていることを特徴とする。
【００１４】
このグランドピアノのダンパーによれば、重り取付け部は、ダンパーレバーの前端部、すなわちダンパーレバーの支点から遠い位置に設けられている。それにより、より少量の重りでダンパーヘッドの所要の慣性モーメントを効果的に得ることができるため、その調整範囲をさらに拡大できるとともに、材料コストも削減することができる。また、ダンパーレバーの前端部には、通常、他の部品が配置されておらず、ある程度のスペースがある。したがって、そのような空いているスペースを利用することにより、既存のレイアウトを変更することなく容易に重りを取り付けることができる。
【００１５】
請求項３に係る発明は、請求項１または２に記載のグランドピアノのダンパーにおいて、重り取付け部は、周面にねじ部を有し、ダンパーレバーに立設された棒状の取付け部材で構成され、重りは、重りを貫通するねじ孔を有し、ねじ孔を介して取付け部材のねじ部にねじ込まれていることを特徴とする。
【００１６】
このグランドピアノのダンパーによれば、重り取付け部は、周面にねじ部を有する棒状の取付け部材で構成されており、ダンパーヘッドに立設されている。そして、この取付け部材のねじ部に重りのねじ孔をねじ込むことにより、重りが取付け部材に取り付けられている。
【００１７】
このような構成によれば、ダンパーレバーに立設された重り取付け部材にねじ込むだけで、重りを容易に取り付けることができる。また、埋設孔などの加工も不要である。また、重りの追加および取外しもまた、容易に行うことができるので、演奏者の好みに応じたタッチ重さに容易に調整することができる。
【００１８】
請求項４に係る発明は、請求項１または２に記載のグランドピアノのダンパーにおいて、重り取付け部は、棒状の取付け部材で構成され、取付け部材は、取付け部材本体と、取付け部材本体の一端部に設けられ、取付け部材本体の径よりも大きな幅を有する抜止め部と、取付け部材本体の他端部に設けられたローレット加工部と、を有し、ローレット加工部を圧入することによってダンパーレバーに立設されており、重りは、重りを貫通する取付け孔を有し、取付け孔が取付け部材本体に通されかつ抜止め部によって抜止めされた状態で、取付け部材に取り付けられていることを特徴とする。
【００１９】
このグランドピアノのダンパーによれば、重り取付け部は、棒状の取付け部材で構成されており、その一端部のローレット加工部を圧入することによってダンパーレバーに立設されている。また、他端部には抜止め部が形成されている。また、重りは、その取付け孔が取付け部材本体に通されるとともに、取付け部材本体の他端部の抜止め部によって抜止めされた状態で、取付け部材に取り付けられている。
【００２０】
このような構成によれば、重りが取付け部材本体の径よりも大きな幅を有する抜止め部によって抜止めされる。このため、押鍵により、ダンパーレバーの突揚げが繰り返されても、重りが緩んだり外れたりすることなくしっかりと取り付けられた状態に確実に保持されるので、ダンパーレバーの重量およびそれによる鍵のタッチ重さを、変化のない安定した状態に確実に保持することができる。
【図面の簡単な説明】
【００２１】
【図１】本発明の第１実施形態によるグランドピアノのダンパーを示す斜視図である。
【図２】（ａ）重り支持棒および重りの取付け前の状態と、（ｂ）これらを取り付けた状態をそれぞれ示す図１のダンパーのダンパーレバーの前端部の斜視図である。
【図３】本発明の第２実施形態による（ａ）重り支持棒および重りの取付け前の状態と、（ｂ）これらを取り付けた状態をそれぞれ示すダンパーレバーの前端部の斜視図である。
【図４】従来のグランドピアノの一般的なダンパーを示す斜視図である。
【発明を実施するための最良の形態】
【００２２】
以下、図面を参照しながら、本発明を適用したグランドピアノのダンパーについて説明する。図１は、本発明の第１実施形態によるグランドピアノのダンパー１を示している。なお、このダンパー１の構成要素のうち、図４に示した従来のダンパー５１と同じものについては、同一の符号を付して説明を行うものとする。
【００２３】
このダンパー１は、ダンパーレバーレール２、リフティングレール８、複数のダンパーレバー３および複数のダンパーヘッド４（ともに１つのみ図示）を備えている。ダンパーレバーレール２は、複数の鍵（図示せず）の後ろ側にその並び方向（左右方向）に延びるように配置されている。このダンパーレバーレール２には、鍵ごとに設けられたダンパーレバー３の後端部が、ダンパーレバーフレンジ５の支点５ａに回動自在に支持されている。ダンパーレバー３は前方に延び、その前端部が対応する鍵の後端部に上方から対向している。
【００２４】
リフティングレール８は、複数のダンパーレバー３の下方に左右方向に延びるように配置されており、複数の連結部品１０を介して、ダンパーレバーレール２に連結されている。これらの連結部品１０は、それぞれブロック状に形成され、左右方向に間隔を存して配置されており、両レール２、８にまたがるように載置されている。各連結部品１０は、ねじ１１によって両レール２、８にそれぞれ固定されることで、両レール２、８を一体に連結している。
【００２５】
また、複数の連結部品１０のうちの最も外側の２つのもの（１つのみ図示）には、外側方に突出するピン１２がそれぞれ設けられており、これらのピン１２は、ピアノ本体（図示せず）に回動自在に支持されている。これにより、ダンパーレバーレール２およびリフティングレール８は、ピン１２を中心として一体的に回動することが可能である。また、リフティングレール８は、上下方向に延びるリフティングレール突揚棒９に載置されており、このリフティングレール突揚棒９の下端部は、ダンパーペダル（図示せず）に連結されている。また、リフティングレール８の上面には、これに沿ってリフティングレールクロス１３が貼り付けられており、このリフティングレールクロス１３に、ダンパーレバー３の下面にねじ込まれた調整用のパイロットスクリュー１４が所定の間隔を存して上方から対向している。
【００２６】
各ダンパーレバー３には、これに重さを付加するために、複数（例えば２つ）の重り１５が重り支持棒１６（重り取付け部、取付け部材）を介して取り付けられている。図２（ａ）に示すように、重り支持棒１６の外周面には、長さ方向にわたってねじ部１６ａが形成されている。ダンパーレバー３の前端部の上面には、重り支持棒１６よりも若干、小さな径を有する下孔３ｂがあらかじめ形成されており、重り支持棒１６は、この下孔３ｂにねじ部１６ａを、タッピングしながらねじ込むことにより、ダンパーレバー３に固定されている。
【００２７】
各重り１５は、例えば鉄や真鍮のような比較的、大きな所定の比重を有する材料によって構成され、所定の重量を有している。また、重り１５は、円板状に形成され、その中央には、ねじ孔１５ａが上下方向に貫通するように形成されている。重り１５は、そのねじ孔１５ａおよびねじ部１６ａを介して重り支持棒１６にねじ込まれることにより、同図（ｂ）に示すようにダンパーレバー３に取り付けられている。
【００２８】
また、ダンパーレバー３には、ダンパーワイヤーフレンジ６の下端部が回動自在に取り付けられ、このダンパーワイヤフレンジ６からダンパーワイヤ７が上方に延びている。ダンパーワイヤ７は、これを水平方向にぶれないように案内するためのガイドホルダ１７に通されており、上端部に前記ダンパーヘッド４が取り付けられている。このダンパーヘッド４は、鍵が離鍵状態にあるときには、その下面に取り付けられたダンパーフェルト１８を介して、水平に張られた弦Ｓに上方から当接している。
【００２９】
次いで、上述した構成のダンパー１の動作について説明する。鍵が押鍵されると、その後端部でダンパーレバー３の前端部が突き上げられ、上方に回動するのに伴い、ダンパーヘッド４が上方に移動し、弦Ｓから離れる。その後、所定のタイミングでハンマー（図示せず）が弦Ｓを打弦することにより、弦Ｓが振動し、演奏音が発音される。また、鍵が離鍵されると、ダンパーレバー３が下方に復帰回動するのに伴い、ダンパーヘッド４が下方に移動し、弦Ｓに当接することで、ダンパーレバー３やダンパーヘッド４などの重さにより弦Ｓの振動が停止され、演奏音の発音が停止する。
【００３０】
また、ダンパーペダルが踏込み操作されると、ダンパーレバーレール２のリフティングレール８がリフティングレール突上げ棒９により突き上げられることで、ダンパーレバーレール２が、ピン１２を中心として上方に回動する。これにより、すべてのダンパーレバー３がパイロットスクリュー１４を介して上方に突き上げられ、全てのダンパーヘッド４が弦Ｓから一斉に離れることによって、ダンパーペダル効果が得られる。ダンパーペダルの踏込み操作が終了すると、ダンパーレバーレール２が自重で下方に復帰回動し、それに伴い、各ダンパーレバー３が下方に回動することで、すべてのダンパーヘッド４が弦Ｓに当接するようになり、もとの状態に復帰する。
【００３１】
以上のように、本実施形態のダンパー１によれば、鉄などによって構成された所定の重量の重り１５を重り支持棒１６に取り付けるだけで、鉛の重りを用いることなくダンパーレバー３を支持する支点５ａ回りの慣性モーメントを容易に調整することができ、それにより所望のタッチ重さを得ることができる。また、取り付ける重り１５の数により、ダンパーレバー３に付与される重さを調整することができるので、支点５ａ回りの慣性モーメントをきめ細かく調整することができ、それによりタッチ重さをきめ細かく設定することができる。さらに、重さを付与するためにダンパーレバー３に埋設孔を設ける必要がなく、取り付けた重りの重さが実質的にすべて付与されるので、ダンパーヘッド３に重さを効率よく付与することができる。したがって、付与できる重さ、すなわち調整可能な慣性モーメントの範囲を広げることができる。
【００３２】
また、重り支持棒１６は、ダンパーレバー３の前端部、すなわちその回動の中心である支点５ａから遠い位置に設けられている。それにより、より少量の重り１５でダンパーヘッド３の所要の慣性モーメントを効果的に得ることができるため、その調整範囲をさらに拡大できるとともに、材料コストも削減することができる。また、ダンパーレバー３の前端部には、通常、他の部品が配置されておらず、ある程度のスペースがある。したがって、そのような空いているスペースを利用することにより、既存のレイアウトを変更することなく容易に重り１５を取り付けることができる。
【００３３】
さらに、ダンパーレバー３に立設された重り支持棒１６にねじ込むだけで、重り１５を容易に取り付けることができる。また、埋設孔などの加工も不要である。また、重り１５の追加および取外しもまた、容易に行うことができるので、演奏者の好みに応じたタッチ重さに容易に調整することができる。
【００３４】
図３は、本発明の第２実施形態によるダンパーのダンパーヘッド３の前端部を示している。このダンパーは、前述した第１実施形態のダンパー１と基本的に同じ構成を有しており、ダンパーレバー３に設けられた重り２１および重り支持棒２２（重り取付け部、取付け部材）の構成のみが異なっているので、これらの構成を中心として説明を行うものとする。
【００３５】
本実施形態のダンパーレバー３にも、これに重さを付加するために、複数（例えば２つ）の重り２１が重り支持棒２２を介して取り付けられている。同図（ａ）に示すように、重り支持棒２２は、丸棒状の支持棒本体２２ａ（取付け部材本体）と、その一端部の外周面に形成されたローレット加工部２２ｂと、他端部に形成された抜止め部２２ｃを有している。ローレット加工部２２ｂの外径は、支持棒本体２２ａの径よりもわずかに大きくなっている。また、抜止め部２２ｃは、支持棒本体２２ａの他端部をプレスすることにより板状に形成されており、それにより、抜止め部２２ｃの幅は、支持棒本体２２ａの径およびローレット加工部２２ｂの外径よりも大きくなっている。
【００３６】
重り２１は、第１実施形態の重り１５と同様に、例えば鉄や真鍮のような比較的、大きな所定の比重を有する材料によって構成されており、所定の重量を有している。また、この重り２１は、円板状に形成され、その中央には、取付け孔２１ａが上下方向に貫通するように形成されている。この取付け孔２１ａの径は、前述した重り支持棒２２のローレット加工部２２ｂの径とほぼ同じになっており、重り支持棒２２は、重り２１の取付け孔２１ａを、ローレット加工部２２ｂ側から支持棒本体２２ａの周囲まで通した状態で、ダンパーレバー３の下孔３ｂにローレット加工部２２ｂを圧入することにより、ダンパーレバー３に固定されている。抜止め部２２ｃの幅は、重り２１の取付け孔２１ａの径よりも大きいので、この状態では、抜止め部２２ｃによって係止されることにより、重り２１が重り支持棒２２から抜けることなく保持される。これにより、重り２１は、同図（ｂ）に示すように、重り支持棒２２とともにダンパーレバー３に取り付けられている。以上のようなダンパーの動作は、前述した第１実施形態のダンパー１と同様であるので、その説明は省略する。
【００３７】
以上のように、本実施形態のダンパーによれば、重り２１が支持棒本体２２ａの径よりも大きな幅を有する抜止め部２２ｃによって抜止めされる。このため、押鍵により、ダンパーレバー３の突揚げが繰り返されても、重り２１が緩んだり外れたりすることなくしっかりと取り付けられた状態に確実に保持されるので、ダンパーレバー３の重量およびそれによる鍵のタッチ重さを、変化のない安定した状態に確実に保持することができる。
【００３８】
なお、本発明は、上述した第１および第２実施形態に限定されることなく、種々の態様で実施することができる。例えば、両実施形態は、重りを２つ取り付けた例として説明したが、これに限定されることなく、より多くの重りを取り付けるようにしてもよい。例えば、取り付ける重りの数を単純に増やすことにより、ダンパーレバー３に付与する重さの範囲をより広くすることができる。あるいは、重りの合計の高さは変えずに、重りを細分化することにより、付与する重さをよりきめ細かく調整できるようにしてもよい。これらの場合、例えば重り支持棒１６、２２の長さを、取り付ける重りの合計の高さに応じて設定することにより、対応することが可能である。
【００３９】
また、両実施形態では、同じ重量の重りを取り付けることにより、ダンパーレバー３に重さを付与しているが、互いに重量の異なる複数の重りを準備し、取り付ける重りの組合わせにより、ダンパーレバー３に付与する重さを、さらにきめ細かく調整するようにしてもよい。その他、細部の構成を、本発明の趣旨の範囲内で適宜、変更することが可能である。
【符号の説明】
【００４０】
１    ダンパー
３    ダンパーレバー
４    ダンパーヘッド
１５    重り
１５ａ  ねじ孔
１６    重り支持棒（重り取付け部、取付け部材）
１６ａ  ねじ部
２１    重り
２１ａ  取付け孔
２２    重り支持棒（重り取付け部、取付け部材）
２２ａ  支持棒本体（取付け部材本体）
２２ｂ  ローレット加工部
２２ｃ  抜止め部
Ｓ    弦
【図１】
2005106870.tif 000003
【図２】
2005106870.tif 000004
【図３】
2005106870.tif 000005
【図４】
2005106870.tif 000006